(57)【特許請求の範囲】
【請求項１】
ヒンジを介して開閉可能に接続され、その内側を揮散剤の収納空間とする二つ割りの容器本体と、該容器本体に連結され、該容器本体を吊り下げ保持するフックと、該フックの背面部に設けられ、前記揮散剤の残量表示用インジケータを収容するインジケータケースとを備える吊り下げ式揮散剤用容器であって、
前記吊り下げ式揮散剤用容器は、前記容器本体と、フックと、インジケータケースとを全て連結させた一体成形物であり、
前記インジケータケースに、該インジケータケースを前記フックとの連結部を基点に折り曲げて該フックの側壁部に連係させる係止爪を設けたことを特徴とする吊り下げ式揮散剤用容器。
【請求項２】
前記インジケータケースは、前記フックに対して直交する向きに折り曲げられるものである、請求項１記載の吊り下げ式揮散剤用容器。
【発明の詳細な説明】
【技術分野】
【０００１】
本発明は、揮散剤を収容し、洋服ダンスやクローゼット等のバーに吊り下げて使用する吊り下げ式揮散剤用容器に関するものであり、特に、衣類等とともにバーに吊り下げられた状態でも、容易に揮散剤の残量を確認することができるものである。
【背景技術】
【０００２】
吊下げ式揮散剤用容器としては、例えば、衣類用の防虫剤容器があり、容器内側に収容する揮散剤として防虫効果のある薬剤を含浸させたシート（防虫シート）を用いるとともに、上部に一体連結したフックで洋服ダンスやクローゼット等のバーに衣類等とともに直接吊り下げられるようにした、吊り下げ式防虫剤容器が知られている（例えば特許文献１参照）。特許文献１に記載の容器によれば、薬剤の収容スペースを狭めて容器を偏平状にできるので、衣類等の収納スペースを犠牲にすることなく使用することができる。
【０００３】
一方、上記容器は、防虫シートの残量（寿命）を表示するためのインジケータも併せて収容しているが、洋服ダンス等に吊り下げられた状態では隣り合う衣類等が邪魔になって直接視認することができず、容器をバーから取り外したり、吊り下げられた衣類等を横にずらしたりする面倒な作業が不可避であって、使い勝手の点で改善の余地が残されていた。
【先行技術文献】
【特許文献】
【０００４】
【特許文献１】特開２００５−３３３９４３号公報
【発明の概要】
【発明が解決しようとする課題】
【０００５】
本発明の課題は、洋服ダンスやクローゼット等のバーに吊り下げて使用する吊り下げ式揮散剤用容器に関し、衣類等とともにバーに吊り下げられた状態でも揮散剤の残量の確認が行いやすく使い勝手に優れ、しかも簡素な構造となる揮散剤用容器を提案するところにある。
【課題を解決するための手段】
【０００６】
本発明は、ヒンジを介して開閉可能に接続され、その内側を揮散剤の収納空間とする二つ割りの容器本体と、該容器本体に連結され、該容器本体を吊り下げ保持するフックと、該フックの背面部に設けられ、前記揮散剤の残量表示用インジケータを収容するインジケータケースとを備える吊り下げ式揮散剤用容器であって、
前記吊り下げ式揮散剤用容器は、前記容器本体と、フックと、インジケータケースとを全て連結させた一体成形物であり、
前記インジケータケースに、該インジケータケースを前記フックとの連結部を基点に折り曲げて該フックの側壁部に連係させる係止爪を設けたことを特徴とする吊り下げ式揮散剤用容器である。
【０００７】
前記インジケータケースは、前記フックに対して直交する向きに折り曲げられるものであることが好ましい。
【発明の効果】
【０００８】
インジケータケースを、フックの背面部に折り曲げ可能に連結させるとともに、インジケータケースに、フックに対して折り曲げてフックの側壁部に連係させる係止爪を設けたので、インジケータケースが、吊り下げられた衣服等よりも高い位置に配置されることとなり、揮散剤の残量の確認が行いやすくなる。特にフックに対して直交する向きに保持する場合は、より視認性を高めることができる。さらに、容器本体と、フックと、インジケータケースとを全て連結して一体成形物としているので、構造を簡素化することができる。
【図面の簡単な説明】
【０００９】
【図１】本発明に従う吊り下げ式揮散剤用容器の一形態である、吊り下げ式防虫剤用容器につき、組立前の姿勢を示す平面図である。
【図２】図１に示す吊り下げ式防虫剤容器の側面図を、組み立て途中の姿勢を二点鎖線で示す図である。
【図３】図１に示す吊り下げ式防虫剤容器のＡ−Ａに沿う断面図を、組立途中の姿勢を二点鎖線で示す図である。
【図４】図１に示す吊り下げ式防虫剤容器の組立後（使用状態）を示す部分拡大平面図である。
【図５】図１に示す吊り下げ式防虫剤容器の使用状態を示す部分拡大正面図である。
【図６】図５に示す吊り下げ式防虫剤容器のＢ−Ｂ線に沿う部分拡大断面図である。
【図７】図１に示す吊り下げ式防虫剤容器の使用状態を示す側面図である。
【発明を実施するための形態】
【００１０】
以下、図面を参照して、本発明の一形態である、吊り下げ式防虫剤用容器をより具体的に説明する。
図１は、本発明に従う吊り下げ式揮散剤用容器の一形態である、吊り下げ式防虫剤用容器につき、組立前の姿勢を示す平面図であり、図２は、図１に示す吊り下げ式防虫剤容器の側面図を、組み立て途中の姿勢を二点鎖線で示す図であり、図３は、図１に示す吊り下げ式防虫剤容器のＡ−Ａに沿う断面図を、組立途中の姿勢を二点鎖線で示す図であり、図４は、図１に示す吊り下げ式防虫剤容器の組立後（使用状態）を示す部分拡大平面図であり、図５は、図１に示す吊り下げ式防虫剤容器の使用状態を示す部分拡大正面図であり、図６は、図５に示す吊り下げ式防虫剤容器のＢ−Ｂ線に沿う部分拡大断面図であり、図７は、図１に示す吊り下げ式防虫剤容器の使用状態を示す側面図である。
【００１１】
図１において、１は容器本体である。容器本体１は、ベース１１とカバー１２とをヒンジ１３を介して開閉可能に接続した二つ割り構造となっている。ベース１１、及びカバー１２は、それぞれ基部１１ａ、１２ａを有しており、基部１１ａ、１２ａの全周を取り囲む周壁部１１ｂ、１２ｂによって、それぞれ凹部空間を形成している。
【００１２】
ベース１１は、円筒状の筒体を起立させたボス１１ｃ（図示の例では大、小２つのサイズのボスがある）を備えている。図示の例では、周壁部１１ｂに沿って、ヒンジ１３に近い部位に小ボスを３個設け、ヒンジ１３の周辺を除いた部位に大ボスを７個設けている。
【００１３】
カバー１２は、ベース１１に対応する位置に配置され、ボス１１ｃの内側に入り込んで係合するピン１２ｃ（図示の例では大、小２つのサイズのピンがある）を備えている。ここでピン１２ｃは、図２に示すように、先端先細りで軸部の途中を拡径させた形状となっており、ヒンジ１３に沿ってカバー１２を折り曲げて、ボス１１ｃにピン１２ｃを係合させることにより、カバー１２を閉姿勢に維持することができる。この時、基部１１ａ、１２ａの内側には、揮散剤、図１に示す吊り下げ式防虫剤用容器の例では防虫シートＰ（図１に二点鎖線で示す）を収納する収納空間が形成される。ベース１１、及びカバー１２は、基部１１ａ、１２ａから収納空間に向けて突設する支持部１１ｄ、１２ｄを備えており、（図示の例では、それぞれ６個設けた場合を示す）これら支持部１１ｄ、１２ｄの先端の相互間に防虫シートＰを挟み込むことで、防虫シートＰを支持することができる。なお揮散剤としては、他にも芳香剤や消臭剤等各種のものが適用可能であり、上記防虫シートＰに代えてこれら芳香剤シートや消臭剤シート等を適用することができる。
【００１４】
またベース１１、及びカバー１２は、各基部１１ａ、１２ａを表裏において貫通する揮散孔１１ｅ、１２ｅを有していて（図示の例では、矩形状の孔をそれぞれ６個設けた場合を示す）、防虫シートＰに含浸させた薬剤が、揮散孔１１ｅ、１２ｅを通して外部へ揮散される。なお、揮散孔１１ｅ、１２ｅの形状、位置、個数等は、適宜変更することができる。
【００１５】
図１において、２は例えば洋服ダンスやクローゼット等のバーに吊り下げ保持するフックである。フック２は、ヒンジ１３を設けた側と反対側でベース１１と一体連結する側壁部２ａに、バーの直径に対応する円弧と、この円弧の一部を切り欠いた切り欠き部とを直接形成したものである。フック２は、側壁部２ａの外周部に沿って補強リブ２ｂを備えており、吊り下げ時にフック２に作用する力に対して強度を確保している。
【００１６】
またフック２は、側壁部２ａに、図示の例では矩形状となる孔２ｃを有していて、後述する係止爪を挿入、係止することができる。
【００１７】
図１において、３はフック２の背面部に設けられ、揮散剤の残量（寿命）表示用のインジケータ、図示の例では防虫シートＰの残量（寿命）表示用のインジケータＩ（図１に二点鎖線で示す）を収容するインジケータケースである。インジケータケース３は、基体３１と蓋体３２とからなり、基体３１を、連結部３１ａを介してフック２と折り曲げ可能に連結するとともに、蓋体３２を、ヒンジ３２ａを介して基体３１と折り曲げ可能に連結したものである。図示の例で基体３１は、横長となる矩形状であって、短辺側に連結部３１ａを２個設けてこれらを間隔をおいて配設してフック２と連結しており、蓋体３２は、長辺側に１個のヒンジ３２ａを配設して基体３１と連結している。
【００１８】
基体３１は、円筒状の筒体を起立させたボス３１ｂを備えている。図示の例では、基体３１のコーナ部周辺に４つ設けた場合を示している。また、蓋体３２は、ボス３１ｂに対応する位置に配置され、ボス３１ｂの内側に入り込んで係合する先端先細りのピン３２ｂを備えている。これにより、ヒンジ３２ａに沿って蓋体３２を折り曲げると、ピン３２ｂがボス３１ｂの穴に嵌り込み、蓋体３２を閉姿勢に維持することができる。この時、基体３１、及び蓋体３２の内側には、複数のリブ３１ｄ、３２ｄが形成されており（図示の例では、それぞれ合計４個の矩形状リブを、一対のリブは短辺に、残りのリブは長辺に沿って設けている）、各辺に沿って対向するリブの相互間にインジケータＩを嵌め込んで保持することができる。なお、基体３１、及び蓋体３２からインジケータＩに向けてそれぞれ支持部を突設させ、これらの支持部の相互間にインジケータＩを保持するようにする場合は、インジケータＩを基体３１と蓋体３２の合わせ面付近に確実に配設することができる。
【００１９】
また基体３１、蓋体３２は、それらの中間部において貫通する窓孔３１ｅ、３２ｅを有していて、窓孔３１ｅ、３２ｅを通してインジケータの表示状況を確認することできる。
【００２０】
そして、図２に示すように蓋体３２の裏面側には、孔２ｃに挿入されてインジケータケース３を保持する係止爪３２ｆが形成されている。
【００２１】
上記のように構成される吊り下げ式防虫剤容器を組み立てるに当たっては、ベース１１とカバー１２との相互間に防虫シートＰ（図示省略）を配設し、図２に示すように、カバー１２を矢印ａの向きにヒンジ１３に沿って折り曲げて、カバー１２を閉姿勢に維持する。続いて、基体３１と蓋体３２との相互間にインジケータＩ（図示省略）を配設し、蓋体３２を矢印ｂの向きにヒンジ３２ａに沿って折り曲げて、蓋体３２を閉姿勢に維持する。さらに図３に示すように、閉姿勢となったインジケータケース３を、矢印ｃの向きに連結部３１ａに沿って折り曲げて、図４、図５に示すように係止爪３２ｆを孔２ｃに挿入して側壁部２ａの裏面に連係させる。係止爪３２ｆは、図６に詳細を示すように、蓋体３２から突設する係止爪本体３２ｆ１と、係止爪本体３２ｆ１の先端から蓋体３２に向けて折り返す折り返し端３２ｆ２と、係止爪本体３２ｆ１と折り返し端３２ｆ２と連結する連結部３２ｆ３を備えていて、係止爪本体３２ｆ１と折り返し端３２ｆ２との相互間に側壁部２ａを挟み込むことで、インジケータケース３をフック２に対して直交する姿勢で保持することができる。なお、図６に示すように、孔２ｃの連結部３１ａ側に位置する縁部２ｃ１は、表面の角を削除した曲面状となっているので、インジケータケース３の矢印ｃの向きの折り曲げ作業時において、係止爪３２ｆを孔２ｃに挿入しやすくすることができる。
【００２２】
組み立てられた本発明に従う吊り下げ式防虫剤容器を使用するに当たっては、図７に示す向きに洋服ダンス等に吊り下げられる。このため、インジケータケース３の窓孔３１ｅが使用者に対して正面を向くことになり、高い視認性を実現することができる。しかもインジケータケース３は、隣接して吊り下げられる衣類等の上部に配設されることになるので、衣類等に隠れてしまうことがない。
【００２３】
さらに、本発明に従う吊り下げ式防虫剤容器は、容器本体１、フック２、及びインジケータケース３が全て連結する一体成形物であり、これらを折り曲げ自在に連結するとともに、ボスやピン、爪部等で嵌合するだけで組み立てることができるので、構造の簡素化が図れるとともに、組み立て作業も容易となる。
【００２４】
なお、本発明の実施例では、インジケータケース３をフック２に対して直交する向きに折り曲げて固定（容器本体１の正面に対して直交する向き）する場合について説明したが、吊り下げ環境によってはインジケータケースの角度を適宜変更することもできる。インジケータケースの角度を変更するには、係止爪３２ｆの長さを予め長くしておくか、短くしておけば容易に対応し得る。また、連結部３２ｆ３を予め長くしておき、その中間部に折り返し端３２ｆ２と同じ向きに突設する角度調整用凸部を少なくとも１つ設けておけば、インジケータケース３を複数の角度で保持することもできる。
【産業上の利用可能性】
【００２５】
本発明によれば、衣類等とともにバーに吊り下げられた状態でも揮散剤の残量の確認が行いやすく使い勝手に優れ、構造の簡素化が図れるとともに、組み立て作業も容易となる揮散剤用容器を提供できる。
【符号の説明】
【００２６】
１      容器本体
１１    ベース
１２    カバー
１３    ヒンジ
２      フック
２ａ    側壁部
２ｃ    孔
３      インジケータケース
３１    基体
３２    蓋体
３２ｆ  係止爪
Ｐ      防虫シート（揮散剤）
Ｉ      インジケータ
【図１】
0005653777.tif 000002
【図２】
0005653777.tif 000003
【図３】
0005653777.tif 000004
【図４】
0005653777.tif 000005
【図５】
0005653777.tif 000006
【図６】
0005653777.tif 000007
【図７】
0005653777.tif 000008